(57)【要約】【課題】使用されていない時間が長い競技場の観客席に降りそそぐ太陽光を利用して発電を行なうようにした競技場における発電装置を提供する。【解決手段】それぞれ連結手段３を備えた透明な収納体５内にソーラーパネル７を収納してなる多数のソーラーパネルユニット１を形成し、該ソーラーパネルユニットを該連結手段を介して相互に分離自在に連結した状態で競技場の観客席に配設された多数のイス１３の背もたれ１５の上縁１５ａに載置したことを特徴とする競技場における発電装置。透明、かつ、柔軟な収納体内にソーラーパネルを収納してなるソーラーパネルユニットを競技場の観客席に配設された各イスの背もたれに跨乗させたことを特徴とする競技場における発電装置。【選択図】図１
2008010522.tif 000002
【特許請求の範囲】
【請求項１】
それぞれ連結手段を備えた透明な収納体内にソーラーパネルを収納してなる多数のソーラーパネルユニットを形成し、該ソーラーパネルユニットを該連結手段を介して相互に分離自在に連結した状態で競技場の観客席に配設された多数のイスの背もたれの上縁に載置したことを特徴とする競技場における発電装置。
【請求項２】
透明、かつ、柔軟な収納体内にソーラーパネルを収納してなるソーラーパネルユニットを競技場の観客席に配設された各イスの背もたれに跨乗させたことを特徴とする競技場における発電装置。
【発明の詳細な説明】
【技術分野】
【０００１】
本発明は、競技場における発電装置に関するものであり、更に詳しくは、野球場、サッカー場、陸上競技場その他の競技場の観客席に配設されているイスにソーラーパネルを取り付けてなる発電装置に係るものである。
【背景技術】
【０００２】
ソーラーパネルを用いて太陽の光エネルギーを電気エネルギーに変換する発電装置は、例えば特開平７−１４２７５０号公報等により、既に開示されている。
【０００３】
このような発電装置においては、例えば住宅の屋根上等の如く、太陽光が十分に当たる場所にソーラーパネルを配設して発電が行なわれている。
【特許文献１】特開平７−１４２７５０号公報
【発明の開示】
【発明が解決しようとする課題】
【０００４】
野球場、サッカー場、陸上競技場その他の競技場は、太陽光が十分に当たる広い観客席を備えているにもかかわらず、これらの観客席は使用されていない時間が極めて長い。
【０００５】
本発明者は、このような点に着目し、野球場、サッカー場、陸上競技場その他の競技場の観客席を利用して発電することに想到した。
【０００６】
即ち、本発明は、使用されていない時間が長い競技場の観客席に降りそそぐ太陽光を利用して発電を行なうようにした競技場における発電装置を提供しようとしてなされたものである。
【課題を解決するための手段】
【０００７】
上記課題を解決するために、本発明は、下記の競技場における発電装置を提供する。
【０００８】
（１）それぞれ連結手段を備えた透明な収納体内にソーラーパネルを収納してなる多数のソーラーパネルユニットを形成し、該ソーラーパネルユニットを該連結手段を介して相互に分離自在に連結した状態で競技場の観客席に配設された多数のイスの背もたれの上縁に載置したことを特徴とする競技場における発電装置（請求項１）。
【０００９】
（２）透明、かつ、柔軟な収納体内にソーラーパネルを収納してなるソーラーパネルユニットを競技場の観客席に配設された各イスの背もたれに跨乗させたことを特徴とする競技場における発電装置（請求項２）。
【発明の効果】
【００１０】
［請求項１の発明］
競技場の観客席は広いスペースを占め、かつ、太陽光が十分に当たるにもかかわらず、使用されていない時間が極めて長い。従って、ソーラーパネルユニットを相互に連結した状態で競技場の観客席に配設された多数のイスの背もたれの上縁に載置することにより、効果的な発電を行なうことができる。
【００１１】
発電装置により発電された電力を電力会社に売って利益を上げ、その利益を競技場の維持管理費に充当することにより、競技場の維持管理費の負担を軽減することができる。
【００１２】
ソーラーパネルユニットは連結手段により相互に分離自在に連結されているため、連結と分離が容易であり、多数のイスの背もたれの上縁に載置する作業やイスの背もたれから取外す作業が容易である。
【００１３】
ソーラーパネルは透明な収納体内に収納されているため、雨水やホコリ、汚れ等から確実に保護される。
【００１４】
［請求項２の発明］
競技場の観客席は広いスペースを占め、かつ、太陽光が十分に当たるにもかかわらず、使用されていない時間が極めて長い。従って、ソーラーパネルユニットを競技場の観客席に配設された多数のイスの背もたれに跨乗させることにより、効果的な発電を行なうことができる。
【００１５】
ソーラーパネルユニットを競技場の観客席に配設された各イスの背もたれに跨乗させるようにしたため、イスの背もたれに対するソーラーパネルユニットの着脱が容易である。
【００１６】
その他の点においては、請求項２の発明は、前記請求項１の発明と同様の効果を発揮する。
【発明を実施するための最良の形態】
【００１７】
まず、図１〜図４に示す事例について説明する。
【００１８】
符号１に示すものはソーラーパネルユニットである。
【００１９】
各ソーラーパネルユニット１は、連結手段３、３・・・を備えた透明な収納体５内にソーラーパネル７を収納してなるものである。符号９に示すものはソーラーパネル７の電気的接続手段である。
【００２０】
連結手段３は、一例として金属又は合成樹脂により形成されたフックとする。符号１１に示すものは、連結手段３を収納体５に取り付けている環状ゴムである。
【００２１】
収納体５は、例えば、ビニール樹脂等の透明な合成樹脂により形成する。
【００２２】
この事例においては、多数のソーラーパネルユニット１、１・・・を形成し、該ソーラーパネルユニット１、１・・・を該連結手段３、３・・・を介して相互に分離自在に連結した状態で競技場の観客席に配設された多数のイス１３、１３・・・の背もたれ１５、１５・・・の上縁１５ａ、１５ａ・・・に載置する。
【００２３】
競技場の観客席が使用されるときには、イス１３、１３・・・の背もたれ１５、１５・・・の上縁１５ａ、１５ａ・・・に載置されたソーラーパネルユニット１、１・・・は、イス１３、１３・・・から除去され、分離された状態で適宜格納される。
【００２４】
次に、図５〜図６に示す事例について説明する。
【００２５】
符号２１に示すものはソーラーパネルユニットである。
【００２６】
ソーラーパネルユニット２１は、透明、かつ、柔軟な収納体２３内にソーラーパネル２５を収納してなるものである。符号２７に示すものはソーラーパネル２５の電気的接続手段である。
【００２７】
収納体２３は、例えば、ビニール樹脂等の透明、かつ、柔軟な合成樹脂により形成する。
【００２８】
このソーラーパネルユニット２１を競技場の観客席に配設された各イス１３の背もたれ１５に跨乗させる。
【００２９】
競技場の観客席が使用されるときには、各イス１３の背もたれ１５に跨乗させたソーラーパネルユニット２１は、イス１３から除去され、適宜格納される。
【図面の簡単な説明】
【００３０】
【図１】本発明による競技場における発電装置の一例を示す斜視図である。
【図２】同上の断面図である。
【図３】ソーラーパネルユニットの一例を示す斜視図である。
【図４】同上ソーラーパネルユニットの連結状態を示す断面図である。
【図５】本発明による競技場における発電装置の別の一例を示す斜視図である。
【図６】同上の断面図である。
【符号の説明】
【００３１】
１  ソーラーパネルユニット
３  連結手段
５  収納体
７  ソーラーパネル
９  電気的接続手段
１１  環状ゴム
１３  イス
１５  背もたれ
１５ａ  上縁
２１  ソーラーパネルユニット
２３  収納体
２５  ソーラーパネル
２７  電気的接続手段
【図１】
2008010522.tif 000003
【図２】
2008010522.tif 000004
【図３】
2008010522.tif 000005
【図４】
2008010522.tif 000006
【図５】
2008010522.tif 000007
【図６】
2008010522.tif 000008